(57)【要約】【課題】　車両懸架装置に装着される油圧緩衝器おいて、積載荷重の大小にかかわらず自動的に車高を一定に調整するとともに、減衰力特性の設定の自由度を高める。【解決手段】　ケース２内にオイル室4a、シリンダ８およびリザーバ室10を設ける。シリンダ８内にピストンロッド18を連結したピストン15を嵌装する。ピストンロッド18内のポンプチューブ24にポンプロッド28を嵌合しポンプ室29を形成する。ポンプ室29を油通路30でオイル室4aに連通させ、油通路26でシリンダ上室8aに連通させる。ピストンロッド18の伸縮によるポンプロッド28のポンピング作用によって、シリンダ8内の油液を給排して車高を一定に調整する。シリンダ下室8ｂとリザーバ室10との間にベースバルブ11を設けたことにより、減衰力特性の設定の自由度を高めることができる。【選択図】　　　　図１
2004100962.tif 000002
【特許請求の範囲】
【請求項１】
油液が封入されたシリンダと、
　該シリンダの外周に設けられ前記シリンダとの間にリザーバ室を形成するケースと、
　前記シリンダ内に摺動可能に嵌装されて前記シリンダ内を２室に画成するピストンと、
　一端が前記ピストンに連結されて他端が前記ケースおよびシリンダの他端側を閉塞する案内部材を介して外部に延出された中空のピストンロッドと、
　前記シリンダの一端に設けられ、前記シリンダ内と前記リザーバ室とをバルブを介して連通するベースバルブと、
　前記ベースバルブの一端側にて前記ケースを閉塞する仕切部材と、
　前記ベースバルブと前記仕切部材とでベース部材を形成し、該ベース部材に一端が傾斜可能に連結され、他端が前記ピストンロッド内に挿入された中空のポンプロッドと、
　前記ポンプロッドの一端側と接続されたオイルタンクと、
　前記ピストンロッドの伸縮動に応じて作動し、前記ポンプロッドを通じて、前記オイルタンク内の油液をシリンダ内に揚げるセルフポンピング機構とを設けたことを特徴とする油圧緩衝器。
【請求項２】
前記ベース部材には、一端側が前記ベースバルブと前記仕切部材とを貫通し、他端側に前記ポンプロッドが連結され、内部に前記ポンプロッド内の通路と前記オイルタンクと連通する通路を有するリテーナが設けられたことを特徴とする請求項１記載の油圧緩衝器。
【請求項３】
前記ベースバルブと前記仕切部材の間にリザーバ室と連通する通路を形成したことを特徴とする請求項１または２記載の油圧緩衝器。
【発明の詳細な説明】
【技術分野】
【０００１】
　本発明は、自動車等の車両の懸架装置に装着される自動車高調整機能を有する油圧緩衝器に関するものである。
【背景技術】
【０００２】
　一般に自動車等の車両においては、懸架装置のばね上、ばね下間に油圧緩衝器を装着して、懸架ばねの振動を減衰させることによって、乗り心地および操縦安定性を向上させるようにしている。
【０００３】
　ところで、バン、ワゴン車等の比較的積載重量の大きな車両においては、乗員の乗り降り、荷物の積み降ろし等にともなう積載荷重の変化によって、車高が変化して乗り心地および操縦安定性が低下することがある。このため、積載荷重の大小に関係なく自動的に一定の車高を保つことができる懸架装置が望まれている。
【０００４】
　そこで、従来、例えば特許文献１に記載されるように、高圧ガスが封入されたオイルタンクおよびリザーバと、ピストンロッドの伸縮によってオイルタンクの油液をシリンダ内へ供給するポンプ手段と、ピストンロッドの位置に応じてポンプ手段およびシリンダ内の圧油をオイルタンクへリリーフするリリーフ手段とを備え、走行時の懸架装置の振動を利用してポンプ手段を作動させてピストンロッドの伸長長さを一定に調整することによって、自動的に一定の車高を保つようにした、いわゆるセルフポンピング式の油圧緩衝器が提案されている。
【特許文献１】特開昭６０−２６１７１３号公報
【発明の開示】
【発明が解決しようとする課題】
【０００５】
　しかしながら、特許文献１に記載されたセルフポンピング式の油圧緩衝器では、シリンダの上端側側面の穴を介して高圧油室（リザーバ）と接続され、また、ピストンロッドの被突出側である上端側が低圧室（タンク）と連通した部屋となっているので、シリンダ内とリザーバとの間に減衰バルブやチェックバルブ等を設けることが構造上困難であるという問題点があった。
【０００６】
　本発明は、上記の点に鑑みてなされたものであり、セルフポンプピング式の油圧緩衝器において、シリンダ内とリザーバとの間にバルブを設られる構造とし、減衰力特性の設計自由度を高くした油圧緩衝器を提供することを目的とする。
【課題を解決するための手段】
【０００７】
　上記の課題を解決するために、請求項１の発明の油圧緩衝器は、油液が封入されたシリンダと、該シリンダの外周に設けられ前記シリンダとの間にリザーバ室を形成するケースと、前記シリンダ内に摺動可能に嵌装されて前記シリンダ内を２室に画成するピストンと、一端が前記ピストンに連結されて他端が前記ケースおよびシリンダの他端側を閉塞する案内部材を介して外部に延出された中空のピストンロッドと、前記シリンダの一端に設けられ、前記シリンダ内と前記リザーバ室とをバルブを介して連通するベースバルブと、前記ベースバルブの一端側にて前記ケースを閉塞する仕切部材と、前記ベースバルブと前記仕切部材とでベース部材を形成し、該ベース部材に一端が傾斜可能に連結され、他端が前記ピストンロッド内に挿入された中空のポンプロッドと、前記ポンプロッドの一端側と接続されたオイルタンクと、前記ピストンロッドの伸縮動に応じて作動し、前記ポンプロッドを通じて、前記オイルタンク内の油液をシリンダ内に揚げるセルフポンピング機構とを設けたことを特徴とする。
　請求項２の発明の油圧緩衝器は、上記請求項１の構成に加えて、前記ベース部材には、一端側が前記ベースバルブと前記仕切部材とを貫通し、他端側に前記ポンプロッドが連結され、内部に前記ポンプロッド内の通路と前記オイルタンクと連通する通路を有するリテーナが設けられたことを特徴とする。
　請求項３の発明の油圧緩衝器は、上記請求項１または２の構成に加えて前記ベースバルブと前記仕切部材の間にリザーバ室と連通する通路を形成したことを特徴とする。
【発明の効果】
【０００８】
　請求項１の発明によれば、振動を利用して、荷重の大小にかかわらず自動的に全長を一定に調整することができる油圧緩衝器において、シリンダ内とリザーバとの間にベースバルブが設られる構造としたので、減衰力特性の設定自由度が高い油圧緩衝器を提供することができる。よって、自動車に設けた場合は、車高を一定に保つとともに、操縦安定性や乗り心地を一層高めることが可能となる。
　請求項２の発明では、一端側が前記ベースバルブと前記仕切部材とを貫通し、他端側にポンプロッドが連結され、内部に前記ポンプロッド内の通路と前記オイルタンクと連通する通路を有するリテーナにより、シリンダ内とオイルポンプを容易に連通させることがきる。
　請求項３の発明では、前記ベースバルブと前記仕切部材の間にリザーバ室と連通する通路を形成したことにより、簡単な構成で、リザーバとシリンダ内を連通させることができる。
【発明を実施するための最良の形態】
【０００９】
　以下、本発明の実施形態を図面に基づいて詳細に説明する。
　第１実施形態について図１ないし図５を用いて説明する。図１ないし図５に示すように、第１実施形態の油圧緩衝器１は、下端側（一端側）が閉塞され、上端側（他端側）が開口されたケース２内に仕切部材３が嵌合されており、この仕切部材３によってケース２内が底部側室2aと開口部側2bの２室に区画されている。
【００１０】
　底部側室2a内には、ケース２よりもやや小径のシリンダ部材４が挿入されて、ケース２とシリンダ部材４との間に環状室５が形成されており、環状室５は、シリンダ部材４の下端部に設けられた通路６によってシリンダ部材４内に連通されている。シリンダ部材４内には、フリーピストン７（隔壁）が摺動可能に嵌装されており、シリンダ部材４内が仕切部材３側のオイル室4aと通路６によって環状室５に連通されるガス室4bとに画成されている。そして、オイル室4aには油液が封入され、ガス室4bおよび環状室５には、圧縮ガス（２〜６kg／cm2）が封入されている。この圧縮ガスは、フリーピストン７が上方に移動する際のフリクションを低減するために封入されている。なお、シリンダ部材４は省略してもよい。
【００１１】
　開口部側2b内には、ケース２よりもやや小径のシリンダ８が挿入され、ケース２の開口部にシール部材９が取付けられて、ケース２とシリンダ８との間に環状のリザーバ室10が形成されている。シリンダ８の仕切部材３側の端部には、ベースバルブ11が取付けられており、ベースバルブ11に設けられた油通路12によって、シリンダ８内とリザーバ室10とが連通されている。ベースバルブ11には、油通路12のリザーバ室10からシリンダ８内への油液の流通を許容する逆止弁13および油通路12を常時連通させるオリフィス14が設けられている。そして、シリンダ８内には油液が封入され、リザーバ室10には、油液および高圧ガス（15〜35kg／cm2）が封入されている。オイル室4aは、図に示すように、下端側が延設されたケース２と一体的に形成され、後述するシリンダ８と同軸直列に配置されている。
【００１２】
　シリンダ８内には、環状のピストン15が摺動可能に嵌装されており、このピストン15によってシリンダ８内がケース２の開口部側のシリンダ上室8aとベースバルブ11を介してリザーバ室10に連通されるシリンダ下室8bの２室に画成されている。ピストン15には、略円筒状のピストンボルト16が挿通され、その先端部にピストンナット17を螺着させて固定されている。ピストンボルト16の基端側のねじ部16a には、中空部18a を有するピストンロッド18の一端が螺着されており、ピストンロッドの他端側は、シール部材９およびシリンダ８の上端部に装着されたロッドガイド19からなる案内部材に挿通されて、ケース２およびシリンダ８の外部へ延出されている。ロッドガイド19の内周には、スリーブ19c が嵌合され、また、シリンダ上室8aとリザーバ室10とを連通させる通路19a および通路19a の油液およびガスの流通を規制するチェック弁19b が設けられており、シリンダ８内に混入したガスをピストンロッド18の伸び行程時にリザーバ室10へ排出し、伸び行程時にスリーブ19c を越えて漏れた油液をリザーバ室10へ戻すとともに、ピストンロッド18の縮み行程時にリザーバ室10内のガスがシリンダ８内に流入しないようになっている。また、シール部材９には、シール機構9a，9bが設けられている。
【００１３】
　ピストン15には、シリンダ上室8aとシリンダ下室8bとを連通させる伸び側通路20および縮み側通路21が設けられている。また、ピストン15には、シリンダ上室8a側の所定圧力によって撓んで開弁して伸び側通路20の油液の流通を許容して減衰力を発生させる常閉のディスクバルブ22およびシリンダ下室8b側の所定圧力によって撓んで開弁して縮み側通路21の油液の流通を許容して減衰力を発生させる常閉のディスクバルブ23が設けられている。
【００１４】
　ピストンロッド18内には、その中空部18a よりもやや小径の大径部24a と小径部24b とからなる段付のポンプチューブ24が挿入されており、ポンプチューブ24は、小径部24b 側の端部が中空部18a の底部に設けられた保持ばね25に押圧されて、大径部24a 側の端部がピストンボルト16に当接されて固定されている。そして、中空部18a とポンプチューブ24との間に環状の油通路26が形成され、ピストンロッド18の側壁に設けられた通路26a を介してシリンダ上室8aに連通されている。
【００１５】
　仕切部材３およびベースバルブ11には、リテーナ27を介して、管状のポンプロッド28の基端が連結されている。この仕切部材３、ベースバルブ11およびリテーナ27で本発明のベース部材を構成している。ポンプロッド28とリテーナ27との結合部は球面状に形成され、互いに摺接可能となっており、油圧緩衝器１の作動にともなうポンプロッド28の傾きを許容して位置ずれを吸収できるようになっている。ポンプロッド28の先端側は、シリンダ８の中心軸に沿って延ばされ、ピストンボルト16（ピストン15）に挿通され、さらに、ポンプチューブ24の大径部24a に挿通されて小径部24b 内に摺動可能に嵌合されている。そして、ポンプロッド28の先端部によって、小径部24b 内にポンプ室29が形成されており、ポンプロッド28内の油通路30およびリテーナ27に設けられた通路31によって、ポンプ室29とオイル室4aとが連通されている。ポンプチューブ24の小径部24b の端部には、ポンプ室29から油通路26への油液の流通のみを許容する逆止弁32が設けられており、また、ポンプロッド28の先端部には、油通路30のオイル室4aからポンプ室29への油液の流通のみを許容する逆止弁33が設けられている。
【００１６】
　逆止弁32は、図５に示すように、ポンプチューブ24の小径部24b の先端部に略Ｕ字形のリテーナ34が固定され、小径部24b の開口部に離着座する弁体35とリテーナ34との間に弁ばね36が介装されており、油通路26側の圧力によって弁体35が小径部24a の開口部に押しつけられて閉弁し、ポンプ室29側の圧力によって弁体35が弁ばね36の弾性力に抗して小径部24b の開口部から押し上げられて開弁するようになっている。なお、図中、37は弁体35の移動を規制するストッパである。
【００１７】
　逆止弁33は、図４に示すように、ポンプロッド28の先端部に略Ｕ字形のリテーナ38が取付けられ、ポンプロッド28の先端開口部に離着座する弁体39とリテーナ38との間に弁ばね40が介装されており、ポンプ室29側の圧力によって弁体39がポンプロッド28の開口部に押しつけられて閉弁し、油通路30側の圧力によって弁体39が弁ばね40の弾性力に抗してポンプロッド28の開口部から押し上げられて開弁するようになっている。
【００１８】
　ピストンボルト16およびポンプチューブ24の大径部24a とポンプロッド28との間にはシリンダ下室8bに連通する環状通路41が形成されている。ポンプロッド28には、ポンプチューブ24に嵌合された先端部から軸方向に所定部位まで延びる切欠42が形成されており、この切欠42によってポンプロッド28とポンプチューブ24の小径部24b との間に隙間42a が形成されている。そして、隙間42a と環状通路41とで通路を構成しており、切欠42は、ピストンロッド18の伸長長さが所定の標準範囲よりも短いとき（標準範囲の下限となる第１所定位置より短いとき）、ポンプチューブ24の小径部24b のみと重なり、大径部24a とは重ならない位置にあって隙間42a と環状通路41との連通が遮断される。また、ピストンロッド18が所定の標準範囲まで伸長したとき（標準範囲の下限となる第１所定位置まで伸長したとき）、ポンプチューブ24がピストンロッド18とともに移動して大径部24a が切欠42に重なって、隙間42a が環状通路41に連通されてシリンダ上下室8a，8bに連通されるようになっている。
【００１９】
　また、ポンプロッド28の側壁には、油通路30と接続してオリフィス通路43が設けられている。そして、オリフィス通路43は、切欠42のオイル室4a側の端部（図中の下端部）に対してポンプ室29よりの部位に配置されており、ピストンロッド18の伸長長さが所定の標準範囲以下（標準範囲の上限である第２所定位置以下）のとき、ポンプチューブ24の小径部24b と重なる位置にあり、オリフィス通路43と環状通路41との連通が遮断される。また、ピストンロッド18の伸長長さが所定の標準範囲を越えたとき（標準範囲の上限である第２所定位置を越えたとき）、オリフィス通路43はポンプチューブ24の大径部24a と重なって、オリフィス通路43が環状通路41に連通されてシリンダ上下室8a，8bと連通されるようになっている。
【００２０】
　ピストンボルト16の側壁には、シリンダ上室8aに連通する通路44が設けられており、ピストンボルト16とポンプロッド28との間に形成された環状通路41および通路44によってシリンダ上室8aとシリンダ下室8bとを連通する油液通路が構成されている。また、ピストンボルト16の先端部に取付けられたピストンナット17の一端部の内側には、フランジ45が設けられており、このフランジ45とピストンボルト16の先端との間に形成された環状溝に、環状のシール部材46が嵌合されている。そして、このシール部材46とポンプロッド28との間に形成される環状隙間Ｃによってシリンダ上室8aとシリンダ下室8bの連通路面積が調整されるようになっている。なお、シール部材46は、径方向および軸方向に僅かな遊びをもって環状溝に嵌合されており、ピストンナット17の締め付けによる変形を防止するとともに、油圧緩衝器１の作動時のポンプロッド28の振れを吸収するようになっている。
【００２１】
　ポンプロッド28には、ピストンロッド18の伸長長さが所定の標準範囲内にあるとき、シール部材46に対向する部位に小径部47が設けられており、小径部47の両端部には、テーパ部48，49が設けられ漸次拡径されて大径部28a に連なるようになっている。そして、シール部材46とポンプロッド28との間に、シリンダ上下室8a，8b間を連通させる環状隙間Ｃ（連通路）が形成されており、ピストンロッド18の伸長長さが所定の標準範囲よりも短くまたは長くなると、テーパ部48または49がシール部材46と対向する位置に移動して漸次環状隙間Ｃが小さくなり、ピストンロッド18の伸縮位置がそのストローク端に近づくと、ポンプロッド28の大径部28a がシール部材46に僅かな隙間をもって嵌合して環状隙間Ｃをほとんど閉鎖するようになっている。このようにして、ピストンロッド18とポンプロッド28との軸方向の相対移動によって環状隙間Ｃの通路面積が変化するようになっている。
【００２２】
　そして、油圧緩衝器１は、ピストンロッド18の先端部を車体側（図示せず）に連結させ、ケース２の下端部に取付けられたブラケット50を車輪側（図示せず）に連結させることによって、車両の懸架装置に装着される。なお、図中、51はリバウンドストッパ、52は懸架ばね（図示せず）を受けるばね受けである。
【００２３】
　以上のように構成した第１実施形態の作用について次に説明する。
　油圧緩衝器１の自動車高調整機能について説明する。空車時（標準車高時）において、底部側室2aのガス室4bとリザーバ室10とは、同圧になっており、ピストンロッド18の伸長長さは所定の標準範囲内にある。この状態では、ポンプロッド28の切欠42がポンプチューブ24の大径部24a と重なっており、ポンプ室29が隙間42a および環状通路41を介してシリンダ上下室8a，8bに連通されいてるので、ポンピング動作は行われない。
【００２４】
　車両の積載荷重が増加して車高が標準車高よりも低くなり、ピストンロッド18の伸長長さが標準範囲よりも短くなると、ポンプロッド28の切欠42がポンプチューブ24の小径部24b と重なって閉鎖される。この状態では、走行時の懸架装置の振動によってピストンロッド18が伸縮すると、伸び行程時には、ポンプチューブ24の小径部24b 内のポンプロッド28が後退することによりポンプ室29内の圧力が低下し、逆止弁33が開いて油通路30を通してオイル室4a内の油液がポンプ室29に導入される。また、縮み行程時には、ポンプロッド28が前進してポンプ室29内が加圧され、逆止弁32が開いてポンプ室29内の油液が油通路26および通路26a を通ってシリンダ上室8aに供給されて、シリンダ上下室8a，8bおよびリザーバ室10を加圧してピストンロッド18を伸長させる。このようにして、走行時の振動を利用してポンピング動作を繰り返すことによって車高を上げる。そして、車高が標準車高に達して、ピストンロッドの伸長長さが標準範囲内になると（第１所定位置に達すると）、ポンプロッド28の切欠42がポンプチューブ24の大径部24a と重なってポンプ室29がシリンダ上下室8a，8bに連通されてポンピング動作が解除される。
【００２５】
　また、車両の積載荷重が減少して車高が標準車高よりも高くなり、ピストンロッド18の伸長長さが標準範囲よりも長くなると（第２所定位置より長くなると）、ポンプロッド28の切欠42およびオリフィス通路43がポンプチューブ24の大径部24a と重なり、ポンプ室29がシリンダ上下室8a，8bに連通されてポンピング動作が解除されるとともに、シリンダ上下室8a，8bが環状通路41およびオリフィス通路43を介して油通路30に連通され、シリンダ上下室8a，8b内の圧油がオイル室4aにリリーフされて、シリンダ上下室8a，8bおよびリザーバ室10が減圧されて車高が下がる。車高が標準車高まで下がってピストンロッド18の伸長長さが標準範囲内になると、ポンプロッド28のオリフィス通路43がポンプチューブ24の小径部24b と重なって閉鎖され、シリンダ上下室8a，8b内の圧油のリリーフが停止する。
【００２６】
　以上のようにして、走行時の懸架装置の振動を利用して、ポンピング動作およびリリーフ動作を繰り返すことによって、積載荷重にかかわらず車高を一定に調整することができる。
【００２７】
　次に、油圧緩衝器１の車高に応じた減衰力調整機能について説明する。ピストンロッド18の伸縮にともない、シリンダ上下室8a，8b間で、ピストンボルト16の通路44および環状通路41通って油液が流通し、ポンプロッド28とシール部材46との間に形成された環状隙間Ｃによって流路面積が絞られて減衰力が発生する。
【００２８】
　標準車高時には、ピストンロッド18の伸長長さが標準範囲内にあり、ポンプロッド28の小径部47とシール部材46とが対向して環状隙間Ｃの流路面積が大きくなるので減衰力は小さくなる（ソフト特性）。車高が標準車高を越えて上下に変位すると、ピストンロッド18の伸長長さが標準範囲からはずれて、ポンプロッド28のテーパ部48または49が対向することにより、環状隙間Ｃの通路面積が漸次小さくなって減衰力が大きくなる（ミディアム特性）。そして、ピストンロッド18の伸長長さがそのストローク端に近づくと、ポンプロッド28の大径部28a とシール部材46とが対向して環状隙間Ｃがほとんど閉鎖された状態となり減衰力は最大となる（ハード特性）。
【００２９】
　このようにして、ピストンロッド18のストロークに応じて減衰力特性を変化させることができ、さらに前述の車高調整機能により、乗員の変化によらず、通常走行時は、車高が標準車高付近となり、減衰力をソフト特性として乗り心地をよくし、制動時、旋回時等の車体の姿勢変化によって車高が標準車高を越えて変位した場合には、減衰力を漸次大きくして姿勢変化を抑制することにより操縦安定性を向上させ、さらに、ピストンロッド18のストローク端付近では、減衰力をハード特性として底つきを防止することができる。
【００３０】
　なお、ピストン速度が速くなり、シリンダ上下室8a，8bの圧力が所定圧力に達すると、伸び行程時には、ディスクバルブ22が開弁して油液が伸び側油液通路20を流通することによって減衰力が発生し、縮み行程時には、ディスクバルブ23が開弁して油液が縮み側通路21を流通することによって減衰力が発生し、減衰力の過度の上昇を抑制する。
【００３１】
　また、ピストンロッド18の伸縮によるシリンダ２内の容積変化は、ベースバルブ11の油通路12および逆止弁11またはオリフィス14を介してシリンダ下室8b、リザーバ室10間で油液を流通させてリザーバ室10内のガスを圧縮、膨張させることにより補償している。
【００３２】
　なお、上記実施形態では、ポンプロッド28に小径部47およびテーパ部48，49を設けることによって環状隙間Ｃの流路面積を変化させるようにしているが、これに限らず、環状隙間Ｃを形成するポンプロッド28の断面積がその軸方向位置によって変化するようにすれば、ピストンロッド18のストロークに応じて環状通路Ｃの流路面積を変化させることができる。
【００３３】
　そして、油圧緩衝器１は、車高調整用の油液を貯留する底部側室2a（オイルタンク）がケース２内のシリンダ８の下方に配置されているので、リザーバ室10および底部側室2aのガス容量を充分大きくとることができる。また、油圧緩衝器１は、ピストンロッド18がシリンダ８の上部から突出された、いわゆる正立型の構造となっているので、サスペンションストラットとして好適に用いることができる。
【００３４】
　次に、本発明の第２実施形態について図６および図７を用いて説明する。なお、第２実施形態は、上記第１実施形態に対して車高調整用の油液を貯留するオイルタンクの配置が異なる以外は概略同様の構造であるから、以下、第１実施形態のものと同様の部分には同一の番号を付して異なる部分についてのみ詳細に説明する。
【００３５】
　図６および図７に示すように、第２実施形態の油圧緩衝器60では、オイルタンク61がケース２の外部に別置されており、ベースバルブ11がケース２の底部に配置されている。オイルタンク61は、有底筒状のタンクケース62の開口部にプラグ63が取付けられ、タンクケース62内にフリーピストン64が摺動可能に嵌装されており、タンクケース62内がフリーピストン64によって開口部側のオイル室62a と底部側のガス室62b とに画成されている。オイル室62a 内には車高調整用の油液が封入され、ガス室62b には圧縮ガスが封入されている。そして、オイルタンク61は、ブラケット65を介してボルト66によって油圧緩衝器本体のケース２の側面部に取付けられている。
【００３６】
　ケース２の底部に通路部材67が取付けられ、リテーナ27に嵌合されてポンプロッド28の油通路30に連通されている。通路部材67とオイルタンク61のオイル室62a とが管路68によって連通されている。これにより、ポンプロッド28の油通路30とオイルタンク61のオイル室62a とが連通されている。
【００３７】
　なお、図示のものでは、第１実施形態のピストンボルト16、ナット17およびポンプロッド28に設けられたシリンダ上下8a，8b間を直接連通させる油液通路およびこの油液通路の通路面積を調整する減衰力発生機構は省略されている。
【００３８】
　この構成により、上記第１実施形態と同様にして、走行時の懸架装置の振動を利用して、ポンピング動作およびリリーフ動作を繰り返すことによって、積載荷重にかかわらず車高を一定に調整することができる。そして、ピストン15に設けられた、ディスクバルブ22，23およびこれらに設けられたオリフィス（図示せず）によって伸び側および縮み側通路20，21の油液の流動を制御することによって減衰力を発生させる。
【００３９】
　そして、油圧緩衝器60は、車高調整用の油液を貯留するオイルタンク61が油圧緩衝器本体のケース２の外部に別置されているので、リザーバ室10およびオイルタンク61のガス容量を充分大きくとることができる。また、油圧緩衝器61は、ピストンロッド18がシリンダ８の上部から突出された、いわゆる正立型の構造となっているので、サスペンションストラットとして好適に用いることができる。
【００４０】
　なお、図６および図７に示すものでは、減衰力調整機構が省略されているが、上記第１実施形態と同様に、ピストンボルト16、ナット17およびポンプロッド28に、シリンダ上下8a，8b間を直接連通させる油液通路およびこの油液通路の通路面積を調整する減衰力発生機構を設けることによって、ピストンロッド18のストロークに応じて減衰力特性を調整することができる。
【００４１】
　また、上記各実施形態においては、シリンダ８内とリザーバ室10とを連通する油通路12に逆止弁13およびオリフィス14を設けたものを示したが、この油通路12は、少なくとも、シリンダ８からリザーバ室10への油液の流れに対して流路抵抗があればよく、上記以外にも逆止弁13を減衰力を発生する減衰弁としてもよく、また、逆止弁13をなくしてオリフィス14のみとしてもよい。このオリフィスのみの場合は、オリフィスはシリンダ８の側壁に設けることもできる。
【図面の簡単な説明】
【００４２】
【図１】本発明の第１実施形態の縦断面図である。
【図２】図１の装置の要部の拡大図である。
【図３】図１の装置のベースバルブ部の拡大図である。
【図４】図１の装置のケースおよびシリンダの開口側端部並びにポンプロッドの逆止弁の拡大図である。
【図５】図１の装置のポンプチューブの逆止弁の拡大図である。
【図６】本発明の第２実施形態の縦断面図である。
【図７】図６の装置の要部の拡大図である。
【符号の説明】
【００４３】
　１　油圧緩衝器、２　ケース、３　仕切部材（ベース部材）、2a　底部側室（オイルタンク）、８　シリンダ、8a　シリンダ上室、8b　シリンダ下室、10　リザーバ、11　ベースバルブ（ベース部材）、15　ピストン、18　ピストンロッド、19　ロッドガイド（案内部材）、27　リテーナ（ベース部材）、28　ポンプロッド、60　油圧緩衝器、61　オイルタンク
【図１】
2004100962.tif 000003
【図２】
2004100962.tif 000004
【図３】
2004100962.tif 000005
【図４】
2004100962.tif 000006
【図５】
2004100962.tif 000007
【図６】
2004100962.tif 000008
【図７】
2004100962.tif 000009